(57)【要約】      （修正有）【課題】ソフトでフィット感を維持しつつ、型崩れせず、耐久性に優れると共に、装飾性にも富んだ、新規なブレード帽子を提供する。【解決手段】所定幅に裁断した生地の一方側縁を折り返し、その折り返し端縁を重なる生地と縫合して、長さ方向の片側が２枚重ね部１ｃ、他方側が１枚重ね部１ｄとした長尺のテープ状のブレード帯１を螺旋状に巻回し、その隣合って重なり合う側辺部を一連に縫合してクラウン部３及びつば部４が連続する一体状に形成して帽子を構成する。この帽子を構成するブレード帯１として、生地を所定幅で長尺に裁断し、その一方側縁を折り返すと共にその折り返し端縁に沿って上下に重なる生地を縫合し、それを連続的に連結してテープ状として、片側部分が２枚重ね部１ｃ、他方側部分が１枚重ね部１ｄとする厚みの異なる２段構成の帯体としてブレード帯１を構成する。【選択図】図１
0003187786.tif 000002
【実用新案登録請求の範囲】
【請求項１】
所定幅に裁断した生地の一方側縁を折り返し、その折り返し端縁を重なる生地と縫合して、長さ方向の片側が２枚重ね部、他方側が１枚重ね部とした長尺のテープ状のブレード帯を螺旋状に巻回し、その隣合って重なり合う側辺部を一連に縫合してクラウン部及びつば部が連続する一体状に形成してなることを特徴とする帽子。
【請求項２】
つば部の周縁部分に柔軟性のある芯材を封入した請求項１記載の帽子。
【請求項３】
帽子を構成するブレード帯生地部と別のブレード帯生地部の間にブレード帯を使用しない平坦な生地が挟まれるようにクラウン部及びつば部を形成した請求項１または請求項２記載の帽子。
【請求項４】
生地を所定幅で長尺に裁断し、その一方側縁を折り返すと共にその折り返し端縁に沿って上下に重なる生地を縫合し、それを連続的に連結してテープ状として、片側部分が２枚重ね部、他方側部分が１枚重ね部とする厚みの異なる２段構成の帯体とした、請求項１から請求項３のいずれか１項記載の帽子を形成するためのブレード帯。
【考案の詳細な説明】
【技術分野】
【０００１】
この考案は、長尺のブレード帯を螺旋状に縫合して形成した帽子及び、その帽子を形成するブレード帯の構成に関するものである。
【背景技術】
【０００２】
従来、ブレード帯を螺旋状に巻き、互いに重なり合う側辺部を縫合し、成形してクラウン及びつばを一体状とした、いわゆるブレード帽子が広く知られている。
【０００３】
そして、この種の帽子を構成するブレード帯としては、所定の大きさの生地材を細幅に裁断すると共に、それを筒紐状に縫製し、さらにそれらを長尺状に連結して偏平な筒テープ状としたものを用いたり、また、近年では、所定幅の平織り状の組紐を用いることもある。そして、これらのブレード帯を、平面状で、或いは型に合わせて螺旋状に巻き、隣合って相互に重なり合う側辺部を一連に縫合して、クラウン及びつばを一体状に形成して帽子が完成する。
【０００４】
従来のこの種の帽子は、芯地がないために折りたたみが容易で、ソフトであるので、携帯性やフィット感に優れたものであったが、反面、その形状が一定に保持されず、型崩れして、着用時に体裁の悪いものとなっていた。
【０００５】
そこで、例えば特許文献１に開示された帽子では、所定幅員の１枚生地のブレード帯を平面で螺旋状に巻回しながらブレード帯の表裏面に配した上下の縫合糸で縫合してクラウン部及びつば部を一体状に縫製形成してブレード帽子を構成している。これによれば、ブレード帯の縫合を、従来の１本の糸による環縫い方式と異なり、表裏面に配した上下の糸で縫合しているので、従来の特性を生かしつつ、型崩れしにくく耐久性に優れた帽子を提供することができるとしている。
【０００６】
また、特許文献２で開示された帽子によれば、所定幅員に細断した生地材を筒帯状に縫製すると共に長尺状に連結してなるブレード帯を平面で螺旋状に巻回しながらブレード帯の表裏面に配した上下の糸で縫合し、クラウン部及びつば部を一体状に縫製形成してブレード帽子を構成すると共に、その筒帯内部に形状保持特性を付与してなる保形用芯材を螺旋状に沿って封入している。これによれば、保形用芯材の封入により、折り畳み状態及び展開状態のいずれの場合にも、原形状態が保持される特性を得ることができるとしている。
【先行技術文献】
【特許文献】
【０００７】
【特許文献１】特開２００５−１８７９９０号公報
【特許文献２】特開２００６−９７１４０号公報
【考案の概要】
【考案が解決しようとする課題】
【０００８】
しかしながら、特許文献１に開示された帽子は、ブレード帯が１枚生地であるため、上下の糸で縫製したとしてもなお、その原形を保持することは難しく、洗濯等により型崩れを生じるおそれが残されるものであった。
【０００９】
また、特許文献２に開示された帽子は、筒帯状に縫製したブレード帯を用いること、及び、保形用芯材を用いることで、型崩れをしない帽子を得ることができるが、ブレード帯を筒状に縫製することに手間を要すると共に、別途、保形用芯材を封入する必要があり、その点でも製造に手間を要するものであるから、製造コストの上昇の要因となるものであった。
【００１０】
また、上例を含め、従来のブレード帽子は、一枚生地であれ、筒状帯であれ、平板なブレード帯を螺旋状に巻回して側辺を重ねながら縫製するものであるから、完成した帽子表面は、例えば縫合糸を目立たせるなどすることは可能であるが、螺旋状の渦が形成されるだけの平面的なものであり、装飾性に欠けるものとなっていた。即ち、従来は、平板状のブレード帯が上下方向に単に重なるだけであるから、ブレード帯の一側縁にのみ段部が形成されることになり、表面全部にブレード帯の生地が表れてほとんど凹凸のない平面的な外観を呈するものであった。
【００１１】
本考案は、かかる実情に鑑みて考案をしたものであって、従来のように、ソフトでフィット感を維持しつつ、型崩れせず、耐久性に優れると共に、装飾性にも富んだ、新規な帽子を提供することを目的としている。
【課題を解決するための手段】
【００１２】
上述した課題を解決するため、本考案は、所定幅に裁断した生地の一方側縁を折り返し、その折り返し端縁を重なる生地と縫合して、長さ方向の片側が２枚重ね部、他方側が１枚重ね部とした長尺のテープ状のブレード帯を螺旋状に巻回し、その隣合って重なり合う側辺部を一連に縫合してクラウン部及びつば部が連続する一体状に形成して帽子を構成するという手段を採用した。
【００１３】
かかる構成によれば、帽子表面が、凸状と凹状の螺旋が交互に隣合う二重螺旋構造となり、従来の帽子にはない、立体感のある帽子を形成する。
【００１４】
この場合、つば部の周縁部分に柔軟性のある芯材を封入するという手段を採用した。
【００１５】
芯材は、つば部の周縁の形状を一定に保つ作用を有する。
【００１６】
また、他の手段として、帽子を構成するブレード帯生地部と別のブレード帯生地部の間にブレード帯を使用しない平坦な生地が挟まれるようにクラウン部及びつば部を形成するという手段を採用した。
【００１７】
かかる構成とすれば、多様なデザインの帽子を提供できる。
【００１８】
また、上記帽子を構成するブレード帯として、生地を所定幅で長尺に裁断し、その一方側縁を折り返すと共にその折り返し端縁に沿って上下に重なる生地を縫合し、それを連続的に連結してテープ状として、片側部分が２枚重ね部、他方側部分が１枚重ね部とする厚みの異なる２段構成の帯体としてブレード帯を構成するという手段を採用した。
【考案の効果】
【００１９】
上記構成の本考案に係る帽子は、２枚重ね部と１枚重ね部からなる、凸状と凹状の螺旋が交互に隣合う二重螺旋構造となるので、２枚重ね部が芯材の代わりとなり、帽子全体の形状が一定に保持され、型崩れを防止することができると共に、耐久性にも優れている。
【００２０】
また、従来のような保形用芯材を必要としないので、製造の手間が大幅に削減されると共に、製造コストも大幅に低減することができる。
【００２１】
さらに、凸状と凹状の螺旋が交互に隣合う二重螺旋構造としたので、２枚重ね部と１枚重ね部からなる２段構成の段部が交互に形成され、従来の帽子にはない、立体感のある美麗な外形を有し、装飾性に富んだ帽子を提供することができる。
【００２２】
また、裏地等を使用しないので、軽量であり、特にブレード帯の素材としてフェルト生地等を使用すれば、全体がソフトであり、頭部形状にもよくフィットして、着用者に締め付け感や違和感、重量感などの不快感を与えることがない、極めて有用な帽子を提供できる。
【００２３】
なお、つば部の周縁部分に柔軟性のある芯材を封入すれば、つばの形状が常に安定した、美麗な帽子を提供することができる。
【００２４】
また、全体をブレード帯生地部で構成するのではなく、間に平坦な生地が挟まれるように部分的に使用することも可能であり、この場合は、デザイン的により多様な帽子を提供することができる。
【図面の簡単な説明】
【００２５】
【図１】（Ａ）は、本考案に係る帽子の全体斜視図、（Ｂ）は帽子の頭頂部の構成の説明図である。
【図２】（Ａ）はブレード帯の構成を説明する部分図、（Ｂ）は隣合うブレード帯を縫合する方法の説明図である。
【図３】帽子の他の実施形態を示し、ブレード帯生地部を一部に使用した態様の帽子の全体斜視図である。
【考案を実施するための形態】
【００２６】
以下、本考案に係る帽子、及び、これを形成するためのブレード帯の構成について、添付した図面に従って説明する。
【００２７】
図１（Ａ）に示す完成した帽子において、下述する所定形状のブレード帯１を、同図（Ｂ）に示すように帽子の頭頂部分を始点として螺旋状に巻回し、その互いに隣合って重なり合う側辺部を一連の縫合線２で縫合して、クラウン部３とつば部４が連続する一体状に形成したものである。
【００２８】
その製造工程は、基本的には従来のこの種の帽子を製造する工程と同様である。即ち、頭頂部を始点としてほぼ円状に巻回しながら頂点の平坦部を形成し、そこから周壁部分にかけては丸みを帯びるように螺旋角度を変更しながらクラウン部を下方に拡がる碗状に形成する。次いで、その周壁部分の下端からほぼ水平の外側方向にかけてさらに螺旋角度を変更して巻回して平坦なつば部を形成し、その周縁部分は、外周縁がほぼ円形状となるように末端処理をするものである。
【００２９】
なお、つば部の周縁部分には、その形状を維持するため、柔軟性のある芯材を封入するようにしてもよい。
【００３０】
そして、この帽子の特徴は、図示するように、従来と異なり、クラウン部３及びつば部４が、平面状ではなく、凸状５及び凹状６の螺旋が隣合って重なり合う二重螺旋構造を形成していることにある。即ち、クラウン部３及びつば部４は、単なる平面状ではなく、凹凸の条線が交互に連続して螺旋状に巻回する極めて美麗な意匠を形成するのである。
【００３１】
かかる形状の帽子を形成するため、本考案では、図２に示すような構造のブレード帯１を採用している。即ち、図２（Ａ）において、ブレード帯１は、適宜な生地を所定幅、例えば１５ｍｍ程度で裁断し、その片側側縁を約３分の一幅（５ｍｍ程度）で折り返して、その折り返し端縁１ａの近傍で重なる下の生地と縫合線１ｂによって縫合したもので、さらに、それらを連続的に連結して長尺のテープ状としたものである。これにより、長さ方向の片側半分が２枚重ね部１ｃとなり、他方半分が１枚重ね部１ｄとなる、厚みが異なる２段構成のブレード帯１が形成される。
【００３２】
なお、ブレード帯１を構成する生地は、特に限定するものではないが、側縁部のほつれを考慮すれば、例えばフェルト地などが好ましい。また、あらかじめ所定幅に織成した平織り生地の側縁を折り曲げて上記構成とすることも可能である。
【００３３】
かかる構成のブレード帯１を、同図（Ｂ）に示すように、隣合う２本のブレード帯１のうち、一方の１枚重ね部１ｄの側縁の上に他方の２枚重ね部１ｃの側縁を重ねて、縫合線２で縫合するのであるが、その時、上述したように、螺旋状に巻回しながら、クラウン部３及びつば部４を形成するように螺旋角度を逐次変更しながら縫合することで、図１に示したような帽子が完成する。即ち、２枚重ね部１ｃが凸状の螺旋５となり、１枚重ね部１ｄが凹状の螺旋６となり、凹凸の条線が交互に連続して二重螺旋を形成した帽子とすることができる。
【００３４】
なお、図３は、本考案に係る帽子の別の実施形態を示すものである。即ち、この実施形態では、ブレード帯１により帽子の一部形状を形成する部分（以下、「ブレード帯生地部７」という。）を部分的なものとし、ブレード帯生地部７と他のブレード帯生地部７の間にブレード帯１を使用しない平坦な生地８を使用して帽子全体の形状を形成するようにした。かかる構成とすれば、帽子の形状をより多様化することが可能であり、装飾性に優れた帽子を提供することができる。
【００３５】
かかる構成の帽子は、従来の特許文献１に示したような１枚生地のブレード帯を使用したものに比べて、２枚重ね部１ｃの螺旋条線があるので、これが芯材の代わりとなって、帽子全体の形状が保持され、型崩れを防止することができると共に、耐久性にも優れている。また、特許文献２に示されたような保形用芯材を必要としないので、製造の手間が大幅に削減されると共に、製造コストも低減することができる。
【００３６】
さらに、凸状と凹状の螺旋が交互に隣合う二重螺旋構造としたので、従来の帽子にはない、立体感のある美麗な意匠を形成し、装飾性に富んだ帽子を提供することができる。
【００３７】
また、裏地等を使用しないので、軽量であり、特にフェルト生地等を使用すれば、全体がソフトであり、頭部形状にもよくフィットして、着用者に締め付け感や違和感、重量感などの不快感を与えることがない。
【００３８】
なお、つば部の周縁部分に柔軟性のある芯材を封入すれば、つばの形状が常に安定した、美麗な帽子を提供することができる。
【００３９】
また、全体をブレード帯で構成するのではなく、部分的に使用することも可能であり、この場合は、デザイン的により多様な帽子を提供することができる。
【符号の説明】
【００４０】
１    ブレード帯
１ａ  折り返し端縁
１ｂ  縫合線
１ｃ  ２枚重ね部
１ｄ  １枚重ね部
２    縫合線
３    クラウン部
４    つば部
５    凸状螺旋
６    凹状螺旋
７    ブレード帯生地部
８    生地
【図１】
0003187786.tif 000003
【図２】
0003187786.tif 000004
【図３】
0003187786.tif 000005